(57)【要約】【課題】室内に充満して浮遊する細菌やウイルスを殺菌すると共に、人体への影響も低下できる室内殺菌装置および室内殺菌システムを提供する。【解決手段】室内殺菌装置１は、筐体２と、室内の壁面であって、人の身長より高い場所の壁面に筐体２を取り付けるための取付部と、筐体２に設けられ、紫外線を照射する光源３と、空気を送るファン１１とを備える。【選択図】図３
2018065000.tif 000002
【特許請求の範囲】
【請求項１】
筐体と、
室内の壁面であって、人の身長より高い場所の壁面に前記筐体を取り付けるための取付部と、
前記筐体に設けられ、紫外線を照射する光源と、
空気を送るファンと、を備える、室内殺菌装置。
【請求項２】
前記ファンは、前記室内又は前記筐体の内部に空気を送る、請求項１記載の室内殺菌装置。
【請求項３】
前記ファンは、前記室内又は前記筐体の内部に空気対流を形成する方向に空気を送る、請求項１又は２に記載の室内殺菌装置。
【請求項４】
前記ファンは、前記筐体から前記室内に空気を送出する、請求項１から３のいずれか記載の室内殺菌装置。
【請求項５】
前記ファンは、前記室内から前記筐体に空気を吸引する、請求項１記載の室内殺菌装置。
【請求項６】
前記ファンは、前記筐体の各面のうち、前記紫外線が照射される面に設けられる、請求項１から５のいずれか記載の室内殺菌装置。
【請求項７】
前記ファンは、前記筐体の各面のうち床側の面に設けられる、請求項１から５のいずれか記載の室内殺菌装置。
【請求項８】
前記光源が照射する紫外線の照射範囲を絞る複数のスリットを備え、
前記複数のスリットにおいて、床側の前記スリットの間隙は、天井側の前記スリットの間隙よりも広い、請求項１から７のいずれか記載の室内殺菌装置。
【請求項９】
前記室内の第１の壁面に取り付けられる請求項１から８のいずれか記載の、第１の室内殺菌装置と、前記第１の壁面と対向する第２の壁面に取り付けられる、請求項１から８のいずれか記載の第２の室内殺菌装置とを備える室内殺菌システム。
【請求項１０】
前記光源から前記絞り部材を通じて照射する紫外線の照射範囲に対応して、前記筐体の取り付けられた壁面に対向する壁面に取り付ける反射板を、更に備える、請求項１から８のいずれか記載の室内殺菌装置。
【発明の詳細な説明】
【技術分野】
【０００１】
本発明は、室内の空気に含まれる細菌やウイルスを殺菌できる室内殺菌装置および室内殺菌システムに関する。
【背景技術】
【０００２】
住宅、オフィス、ビル、公共施設、病院、介護施設などの様々な施設においては、様々な人が利用するために、衛生面の対応が重要となる。近年、耐性菌の発生などもあり、細菌やウイルスによる感染症や健康への影響が懸念されている。加えて、近年では、清潔志向の強さによって、多くの人の細菌やウイルスに対する抵抗力が弱まっている傾向がある。
【０００３】
また、これらの施設は、複数の人が出入りしたり、不特定の来訪者が出入りしたりする。このため、これらの複数の人の出入りによって、外部から細菌やウイルスが持ち込まれることも多い。加えて、これらの施設は、複数の部屋に区分されている。このような部屋は、一定の広さに仕切られており、浸入した細菌やウイルスが残留しやすい。これらの残留した細菌やウイルスは、室内にいる人の健康へ影響を与える可能性がある。
【０００４】
あるいは、この細菌やウイルスの影響を受けた人が、保有している細菌などを咳やくしゃみによって吐き出して、更に室内に細菌やウイルスが増えてしまうこともある。
【０００５】
このような施設での病院や介護施設では、病人や老人などのように抵抗力の弱い患者等がおり、衛生面の対応が強く求められる。あるいは、住宅、オフィス、ビル、公共施設などの室内においても、上述のような状況によって、細菌やウイルスに対する衛生面の維持が求められる。特に、近年の衛生志向によって、多くの人が細菌やウイルスに対する耐久性を低下させてしまっている。このような状況では、様々な施設において、細菌やウイルスを軽減することが必要になってきている。
【０００６】
このような施設においては、広い共有空間はもちろんのこと、上述のような仕切られた部屋においての細菌やウイルスの影響を軽減する必要性が高い。特に仕切られた部屋における人の滞在時間は長いので、このような細菌やウイルスが多い室内にいることは、健康への悪影響が懸念される。
【０００７】
このような室内の細菌やウイルスの影響を軽減するために、特殊物質の放出により空中浮遊状態の細菌やウイルスを抑制する空気清浄装置が販売されている。例えば、イオン粒子やナノ粒子といった特殊物質を電気的に放出して、室内を浮遊する細菌やウイルスを軽減することがうたわれている。
【０００８】
しかしながら、このような特殊物質を放出する空気清浄装置は、非特許文献１に開示されるように、ウイルスの一種としてのインフルエンザウイルスを積極的に失活させるような結果はほとんど認められない。他のウイルスも同様である。
【０００９】
多くの施設において、このような空気清浄装置が使用されているが、上述のような理由で、細菌やウイルスの軽減効果は不十分である。このため、室内における細菌やウイルスの悪影響防止に不十分である問題がある。
【００１０】
このような状況で、紫外線などを用いて細菌やウイルスを殺菌する技術が提案されている（例えば、特許文献１、特許文献２、特許文献３参照）。
【先行技術文献】
【特許文献】
【００１１】
【非特許文献１】日本環境感染学会誌  Ｖｏｌ．２７、Ｎｏ、５、２０１２  「殺菌力を謳う各種空気清浄電気製品の、塗布乾燥状態の細菌に対する効果の有無の検証」
【特許文献１】特開２００５−４６５９２号公報
【特許文献２】特開２００４−２８３５４５号公報
【特許文献３】特開平８−２８０７７９号公報
【発明の概要】
【発明が解決しようとする課題】
【００１２】
特許文献１は、床面を周回的に走行して紫外線を装置下方に向けて照射し、床面を殺菌するロボット掃除機を開示する。いわゆる、市販されているロボット掃除機の集塵機能の代わりに紫外線を装置下方に向けて照射する機能を備えたロボット掃除機である。特許文献１に開示されるロボット掃除機は、床面を周回状に走行しながら紫外線によって床面を殺菌することで、床面に残存しやすい病原菌やウイルスの問題を解決する。
【００１３】
しかしながら、特許文献１に開示されるロボット掃除機は、床面を周回状に走行するだけであり、床面を満遍なく走行することができない。このため、走行できない領域を殺菌できない問題を有している。特に、特許文献１に開示されるロボット掃除機は、ロボット本体から本体直下の床面に向けて紫外線を照射するだけである。この照射範囲も相まって、走行できない領域を殺菌できない。殺菌できない領域が残ることで、床面に残存している病原菌やウイルスの問題は解消しないままである。
【００１４】
特許文献２は、掃除用のブラシで床面を掃除しつつ紫外線を照射して床面を殺菌する掃除機を開示する。特許文献１と同様に紫外線によって、床面を殺菌することを目的としている。
【００１５】
しかしながら、特許文献２の図から明らかな通り、特許文献２に開示される掃除機は、掃除機がブラシによってごみを集塵する集塵位置に対して紫外線を照射するに過ぎない。このため、特許文献１と同様に、特許文献２に開示される掃除機も、掃除を行った底面に対応する床面のみしか殺菌ができない。この結果、床面において殺菌できない領域が残り、残存する病原菌やウイルスの問題が解消しないままである。
【００１６】
特許文献３は、移動可能であって、床面を紫外線で殺菌する技術を開示する。
【００１７】
しかしながら、特許文献３も特許文献１、２と同様に、走行した底面しか殺菌できない問題を有している。
【００１８】
以上のような、特許文献１〜３で示される紫外線を用いた殺菌装置は、主に床面に付着したり残存したりしている細菌やウイルスを殺菌することを目的としている。一方で、施設内部では、在室している人の呼吸や空調機器が生じさせる気流によって、様々な対流が生じている。この対流によって、細菌やウイルスが床面だけでなく、室内の高さ方向においても拡散したり、浮遊したりする状態となってしまう。
【００１９】
このような状況においては、特許文献１〜３に代表される紫外線を用いた殺菌装置では、十分に対応できない問題がある。特に、室内には、様々な人が出入りすることで、外部から細菌やウイルスが持ち込まれる。この持ち込まれた細菌やウイルスは、人体にまとわりついて這い込むので、室内において浮遊する傾向を見せる。
【００２０】
この浮遊する細菌やウイルスは、人体の呼吸器系に侵入しやすく、人体への悪影響も高くなる。
【００２１】
以上のように、従来技術では、室内に充満して浮遊する細菌やウイルスを軽減することが難しい問題があった。
【００２２】
本発明は、上記課題に鑑み、室内に充満して浮遊する細菌やウイルスを殺菌すると共に、人体への影響も低下できる室内殺菌装置および室内殺菌システムを提供することを目的とする。
【課題を解決するための手段】
【００２３】
かかる課題を解決すべく、第１の発明の室内殺菌装置は、筐体と、室内の壁面であって、人の身長より高い場所の壁面に前記筐体を取り付けるための取付部と、前記筐体に設けられ、紫外線を照射する光源と、空気を送るファンとを備える。
【００２４】
第前記ファンは、前記室内又は前記筐体の内部に空気を送ることが望ましい。
【００２５】
前記ファンは、前記室内又は前記筐体の内部に空気対流を形成する方向に空気を送ることが望ましい。
【００２６】
前記ファンは、前記筐体から前記室内に空気を送出することが望ましい。
【００２７】
前記ファンは、前記室内から前記筐体に空気を吸引することが望ましい。
【００２８】
前記ファンは、前記筐体の各面のうち、前記紫外線が照射される面に設けられることが望ましい。
【００２９】
前記ファンは、前記筐体の各面のうち床側の面に設けられることが望ましい。
【００３０】
前記光源が照射する紫外線の照射範囲を絞る複数のスリットを備え、前記複数のスリットにおいて、床側の前記スリットの間隙は、天井側の前記スリットの間隙よりも広いことが望ましい。
【００３１】
前記室内の第１の壁面に取り付けられる第１の室内殺菌装置と、前記第１の壁面と対向する第２の壁面に取り付けられる室内殺菌装置とを備える室内殺菌システとすることが望ましい。
【００３２】
前記光源から前記絞り部材を通じて照射する紫外線の照射範囲に対応して、前記筐体の取り付けられた壁面に対向する壁面に取り付ける反射板を、更に備えることが望ましい。
【発明の効果】
【００３３】
本発明の室内殺菌装置は、室内にいる人に紫外線を照射することなく、室内を浮遊する細菌やウイルスに紫外線を照射して殺菌できる。特に、人体への照射を防止するように、室内の天井付近に紫外線を照射することで、対流によって上昇する細菌やウイルスを殺菌する。室内の対流によって天井付近に浮遊してくる細菌やウイルスを殺菌することを繰り返すことで、室内の細菌やウイルスを極めて減少させることができる。
【００３４】
特に、本発明の室内殺菌装置は、室内の細菌やウイルスを紫外線が照射される上方に確実かつ容易に移動させることができるので、細菌やウイルス等を確実に殺菌できるようになる。室内殺菌装置の紫外線は、室内の人体への影響を避けるため、人体より高い上方を照射する。この照射領域に、室内の細菌やウイルスを集めることにより、室内に存在する細菌やウイルスを確実に殺菌できる。
【００３５】
これらの結果、室内にある人体への紫外線の影響を生じさせることを防止しつつ、室内の細菌やウイルスを確実に殺菌できる。
【図面の簡単な説明】
【００３６】
【図１】室内殺菌装置が取り付けられた室内の状態を示す模式図である。
【図２】本発明の実施の形態１における室内殺菌装置が取り付けられた部屋の側面図である。
【図３】本発明の実施の形態１における室内殺菌装置の側面図である。
【図４】本発明の実施の形態１における室内殺菌装置が設置された室内の側面図である。
【図５】本発明の実施の形態１における光源の構造を示す説明図である。
【図６】本発明の実施の形態１における光源の正面図である。
【図７】本発明の実施の形態１における絞り部材の側面図である。
【図８】本発明の実施の形態１における室内殺菌装置の側面図である。
【図９】本発明の実施の形態１における送出ファンが取り付けられた室内殺菌装置の側面図である。
【図１０】本発明の実施の形態１における室内殺菌装置の側面図である。
【図１１】本発明の実施の形態２における室内殺菌装置の側面図である。
【図１２】本発明の実施の形態２における室内殺菌装置が設置された室内の模式図である。
【図１３】本発明の実施の形態３における室内殺菌システムの模式図である。
【発明を実施するための形態】
【００３７】
本発明の第１の発明に係る室内殺菌装置は、部屋の壁に取り付け可能な筐体と、
筐体内部に格納されて紫外線を照射する光源と、
光源の正面に設けられ、照射される紫外線の照射範囲を絞る絞り部材と、
筐体の一部に取り付けられるファンと、を備え、
絞り部材は、複数のスリットを形成し、
筐体は、部屋の上方であって、人の身長より高い場所に設置される。
【００３８】
この構成により、室内の下方の空気を上方に移動させて細菌等を上方に運搬しつつ、上方における紫外線の照射により、確実に殺菌できる。結果として、部屋全体の衛生状態を継続的に良好に保つことができる。
【００３９】
本発明の第２の発明に係る室内殺菌装置では、第１の発明に加えて、ファンは、筐体から外部に空気を送出する送出ファンを有する。
【００４０】
この構成により、ファンは、室内において空気圧の差や対流を生じさせることができる。
【００４１】
本発明の第３の発明に係る室内殺菌装置では、第２の発明に加えて、送出ファンは、筐体内部および部屋の上方の少なくとも一方の気圧を減少させる。
【００４２】
この構成により、部屋の下方の空気を上方に移動させることができる。
【００４３】
本発明の第４の発明に係る室内殺菌装置では、第１から第３のいずれかの発明に加えて、ファンは、外部から筐体に空気を吸引する吸引ファンを有する。
【００４４】
この構成により、紫外線照射範囲に、部屋の空気を引き寄せることができる。結果として、紫外線照射範囲に細菌等を引き寄せることができる。
【００４５】
本発明の第５の発明に係る室内殺菌装置では、第１から第４のいずれかの発明に加えて、ファンは、部屋の内部に空気対流を形成する。
【００４６】
この構成により、部屋の細菌が継続的に紫外線照射範囲に移動して、継続的に部屋の衛生状態が保たれる。
【００４７】
本発明の第６の発明に係る室内殺菌装置では、第１から第５のいずれかの発明に加えて、ファンは、筐体の正面に設けられる。
【００４８】
この構成により、部屋の上方の気圧を相対的に下げることができる。
【００４９】
本発明の第７の発明に係る室内殺菌装置では、第６の発明に加えて、筐体の正面に設けられるファンが、吸引ファンである場合には、部屋内部の細菌等を、部屋の上方に引き寄せる。
【００５０】
この構成により、細菌等を紫外線の照射範囲に含めることができる。
【００５１】
本発明の第８の発明に係る室内殺菌装置では、第１から第５のいずれかの発明に加えて、ファンは、筐体の底面に設けられる。
【００５２】
この構成により、部屋内部に空気の対流を生じさせることができる。
【００５３】
本発明の第９の発明に係る室内殺菌装置では、第１から第８のいずれかの発明に加えて、複数のスリットにおいて、下方のスリットの間隔は、上方のスリットの間隔よりも広い。
【００５４】
この構成により、細菌への照射が容易な下方での紫外線強度を上げることができる。
【００５５】
本発明の第１０の発明に係る室内殺菌装置では、第１から第９のいずれかの発明に加えて、絞り部材を通じて照射される紫外線の照射範囲に対応して、筐体の対向する壁に反射板を、更に備える。
【００５６】
この構成により、紫外線の照射強度を上げることができる。
【００５７】
以下、図面を参照しながら、本発明の実施の形態を説明する。
【００５８】
（実施の形態）
【００５９】
（発明者による分析）
図１は、室内殺菌装置が取り付けられた室内の状態を示す模式図である。図１は、部屋１００を側面から見た状態を示しており、部屋１００内部を可視状態として示している。部屋１００内部には、人２００が存在している。部屋１００がオフィスであれば、人２００は、従業員であったり来客であったりする。あるいは、部屋１００が公共施設であれば、人２００は、訪問者や職員であったりする。
【００６０】
部屋１００内部には、細菌やウイルス（以下、「細菌等」という）５０が存在している。この細菌等５０は、部屋１００内部で発生する気流によって、空中を浮遊している。この浮遊によって、細菌等５０は、部屋１００内部の様々な場所に充満する。
【００６１】
室内殺菌装置１０は、部屋１００の壁１０３に設置される。室内殺菌装置１０は、後述のように、紫外線を照射する。この紫外線が、細菌等５０を照射することで、細菌等５０を殺菌できる。このとき、図１のように壁１０３に室内殺菌装置１０が設置される場合には、室内殺菌装置１０は、紫外線を壁１０３から対向する壁１０４に向けて照射する。この照射範囲において、細菌等５０を殺菌できる。
【００６２】
（１）人体への照射の回避
部屋１００内部には、人２００が存在していることが多い。上記のように、部屋１００の特性に応じて、従業員、来客、職員、入院患者など様々な種類の人２００が在室している。室内殺菌装置１０は、紫外線を照射することで、細菌等５０を殺菌する。この紫外線は、人２００が長時間浴びることは皮膚トラブルなどを初めとして好ましくないこともある。このため、室内殺菌装置１０は、室内に設置されて紫外線を照射する場合に、部屋１００内部の人２００への紫外線の照射を回避することが必要である。
【００６３】
（２）細菌等の上方への移動
図１および上述（１）のように、室内殺菌装置１０は、部屋１００の上方に設置される。この位置において、室内殺菌装置１０は、人２００に紫外線が照射されないように、上方で紫外線を照射する。このため、部屋１００においては、上方において紫外線が照射される。このため、部屋１００では、上方において細菌等５０が殺菌される。
【００６４】
このため、部屋１００内部に存在する細菌等５０を、部屋１００の上方に効率的に移動させることが必要である。
【００６５】
発明者は、紫外線を用いた室内殺菌装置には、上記の（１）〜（２）を実現することが必要であるとの分析結果に至った。
【００６６】
（全体概要）
まず、本発明の実施の形態１における室内殺菌装置の全体概要について説明する。図２は、本発明の実施の形態１における室内殺菌装置が取り付けられた部屋の側面図である。
図２では、室内殺菌装置１が、部屋１００の壁１０３の上方に取り付けられている。発明者の分析（１）、（２）で説明したように、室内殺菌装置１は、部屋１００にいる人２００に直接的に紫外線を照射することは好ましくない。
【００６７】
このため、実施の形態１における室内殺菌装置１は、部屋１００の壁１０３の上方に設置される。ここで、上方とは、部屋１００において一般的な人の身長より高い場所である。部屋１００の上方であって、一般的な人の身長よりも高い場所に設置されることで、図２に示されるように、紫外線が人２００に照射されることはない。
【００６８】
図３は、本発明の実施の形態１における室内殺菌装置の側面図である。図３は、室内殺菌装置１の内部が分かるように示している。
【００６９】
室内殺菌装置１は、筐体２、光源３、絞り部材４と、筐体の一部に取り付けられるファン１１と、を備える。筐体２は、光源３や絞り部材４を格納し、室内殺菌装置１の外形を形成する。このため筐体２は、樹脂、金属、合金、硬質部材など、外形を形成して維持できる素材で形成される。また、筐体２は、必要に応じてユーザーの操作を受けることができるように、必要な操作ボタンや操作パネルなどをその表面に有していることも好適である。
【００７０】
光源３は、筐体２内部に格納される。光源３は、紫外線を照射する。このとき、光源３は、紫外線領域の光を発する蛍光管などの部材であるので、前後左右などの広い範囲に向けて紫外線を照射する。すなわち、光源３のみでは、室内殺菌装置１は、前後左右の広い範囲に渡って紫外線を照射してしまい、発明者の分析（１）を実現できない。
【００７１】
絞り部材４は、光源３の正面に設けられる。図３では、光源３であって、筐体２の前方側に絞り部材４が設けられる。絞り部材４は、複数のスリット６を形成する。加えて、絞り部材４であってスリット６を形成する板部分の表面が吸光処理されていることも好適である。例えば、吸光性の高い塗料が板部分の表面に塗布されていたり、吸光処理が施された板部分を有する部品で絞り部材４が形成されたりすればよい。
【００７２】
光源３から照射される紫外線は、その正面にある絞り部材４のスリット６を通ることで、高さ方向の照射範囲が制限される。この高さ方向の照射範囲が制限されることで、絞り部材４を通過した紫外線は、部屋１００において、その上方のみを照射する。すなわち、直進性をもった紫外線として、照射される。図３の直進紫外線９は、この高さ方向での照射範囲が制限されて直進性をもった状態である。
【００７３】
ファン１１は、筐体２の一部に取り付けられる。ファン１１は、外部から空気を筐体２に吸引する吸引ファンである場合と、筐体２内部の空気を外部に送出する送出ファンである場合と、がある。もちろん、筐体２には、単数のファン１１が設けられてもよいし、複数のファン１１が取り付けられてもよい。
【００７４】
単数のファン１１である場合において、回転方向によって、ファン１１があるときは送出ファンとして機能し、あるときは吸引ファンとして機能することも好適である。複数のファン１１である場合において、あるファン１１が送出ファンであり、別のファンが吸引ファンであることも好適である。
【００７５】
ファン１１が空気の送出あるいは吸引を行うことで、部屋１００において対流や気圧差分を生じさせることができる。この対流や気圧差分によって、部屋１００内部の細菌等５０が、空間的に運搬される。この空間的な運搬によって、細菌等５０は、部屋１００の上方を通過しやすくなる。あるいは部屋１００の下方などにあった細菌等５０も、部屋１００の上方に滞留しやすくなる。
【００７６】
このように、部屋１００の下方など、室内殺菌装置１から照射される紫外線９の照射範囲外の細菌等５０も、照射範囲内に入ってくる。
【００７７】
図４は、本発明の実施の形態１における室内殺菌装置が設置された室内の側面図である。図４は、図２と同じように、部屋１００内部を可視状態として示している。ファン１１によって、部屋１００内部には対流や気圧差分などが生じている。この対流などによって、部屋１００の下方にあった細菌等５０は、上方に運搬される。矢印Ａは、部屋１００の下方から上方に運搬される経路を示している。
【００７８】
上方に運搬された細菌等５０は、紫外線の照射範囲に入るので、室内殺菌装置１から照射される紫外線によって殺菌される。このように、室内殺菌装置１は、ファン１１によって部屋１００の下方などの紫外線の照射範囲外にある細菌等５０を照射範囲に運搬できる。この運搬によって、紫外線の照射範囲にある細菌等５０を殺菌できる。ファン１１および光源３は、継続的に動作するので、部屋１００における細菌等５０の移動も継続的に行われる。もちろん、紫外線の照射による殺菌も継続的に行われる。このため、部屋１００の下方などにある細菌等５０も、高確率で紫外線の照射範囲に運搬されて殺菌されることが繰り返される。
【００７９】
これらの継続性によって、部屋１００に継続的に浸入する細菌等５０を、人２００に紫外線を照射することなく、室内殺菌装置１は、殺菌できる。これらの結果、部屋１００内部は、継続的に衛生が保たれる。
【００８０】
次に、各部の詳細について説明する。
【００８１】
（光源）
光源３では、正面方向の断面長さが、奥行き方向の断面長さよりも大きい、図５は、本発明の実施の形態１における光源の構造を示す説明図である。図５にあるように、正面方向の断面長さＡは、奥行き方向の断面長さＢよりも大きい。すなわち、蛍光管などによって構成される光源３は、略垂直方向よりも正面に向けてより多くの面積での紫外線を照射することができる。
【００８２】
光源３は、紫外線を発する長手方向と短手方向を有する蛍光管であることも好適である。図６は、本発明の実施の形態１における光源の正面図である。光源３は、紫外線を発する部材であれば何でもよいが、図６のような長手方向Ｃと短手方向Ｄとを有する蛍光管であることも好適である。蛍光管であることで、より高いエネルギーの紫外線を発することができるからである。
【００８３】
また、正面から見た状態での長手方向が筐体２内部において平面方向に沿って格納されることも好適である。このように格納されることで、略垂直方向の断面長さが、奥行き方向の断面長さよりも大きい状態で、光源３が、正面方向にむけてより多くの紫外線を照射できるようになる。
【００８４】
また、光源３を構成する蛍光管は、短手方向Ｄに沿った幅と短手方向Ｄと交差する厚みを有している。ここで、短手方向Ｄに沿った幅は、厚みよりも大きい。このような構造を有することで、光源３の、略垂直方向での断面長さが奥行き方向での断面長さよりも大きくなる。
【００８５】
光源３は、蛍光管以外であっても、所望の周波数での紫外線を発することのできる発光素子やこれの集合体でもよい。例えば、ＬＥＤなどの発光素子が羅列された配置を有する構成での光源３であってもよい。
【００８６】
なお、光源３が照射する紫外線の波長の一例としては、２５４ｎｍである。殺菌効果を奏することができれば、これ以外の波長であってもよい。
【００８７】
（絞り部材）
絞り部材４は、複数のスリット６を形成する。このスリット６によって形成される経路を通過することで、様々な方向に照射される光源３からの紫外線を、直進性のある直進紫外線９に変える。複数のスリット６のそれぞれの間の経路を通過するうちに、高さ方向の直進性が高まるようになる。
【００８８】
スリット６が形成する経路の入り口は、当然に狭い幅を有している。この狭い幅の入り口には、光源３からの紫外線の内、入り口に向いている紫外線のみが入る。この時点で、スリット６の入り口に合わない紫外線は、直進性がほとんどないとして、はじかれる。
【００８９】
次いで、スリット６が形成する入り口から出口までの経路を通過する中で、経路に平行な紫外線以外は、スリット６内部の壁面での反射を繰り返す。この反射の繰り返しによって、経路に平行でない紫外線も、やがて経路に平行なものに収束する。また、スリット６の壁面は、吸光処理がなされていることも好適である。この吸光処理による吸光性によって、経路に平行でない紫外線は、吸収される。
【００９０】
これらが相まって、経路の出口においては、経路に略平行な紫外線が中心となって出力する。
【００９１】
以上のように、スリット６は、光源３からの紫外線を通す所定の距離を有する経路を形成し、この経路が、光源３から照射される紫外線を高さ方向において、所定範囲の角度に収束させる。この収束によって、スリット６から出る紫外線は、直進性の高い直進紫外線９となる。
【００９２】
図７は、本発明の実施の形態１における絞り部材の側面図である。
【００９３】
絞り部材４は、複数の壁面５を備えている。この複数の壁面５が上下方向に重なる構造によって、絞り部材４は、上下方向に複数のスリット６を備えることができる。この複数のスリット６のそれぞれが、光源３からの紫外線を、直進性のある範囲に収束させる。
【００９４】
図７における矢印Ｅは、光源３からの紫外線の内、スリット６に略平行な紫外線である。光源３から様々な方向に沿って照射される紫外線の内、スリット６に略平行な紫外線が、スリット６の入り口に入って、スリット６で形成される経路に沿って、スリット６の出口から出る。すなわち、矢印Ｅに対応する紫外線は、スリット６に沿って直進性を有する紫外線として、絞り部材４から照射される。
【００９５】
一方、スリット６の入り口から入っても、スリット６の経路に対して大きな角度を有する矢印Ｆに対応する紫外線は、スリット６内部の壁面５で反射する。この反射も、大きな反射角度で反射する。壁面５は、吸光性を持っている。大きな反射角度で反射することで、壁面５は、矢印Ｆに対応する紫外線を吸収しやすくなる。この吸収が反射の度に繰り返されることで、矢印Ｆに対応する紫外線は、スリット６の出口から出ない。すなわち、直進方向に比較して、直進方向に対しての交差角度が大きな紫外線は、吸光性のある壁面５により吸光されて、角度をもった紫外線が、絞り部材４から照射されないことが実現される。
【００９６】
一方で、矢印Ｇに対応する紫外線は、矢印Ｅと矢印Ｆの間の入力角度で、スリット６に入る。このような紫外線は、壁面５で反射を繰り返す間に、直進方向に近い角度にならされる。更には、反射角度も小さいので、吸光性のある壁面５に吸光されてしまうこともない。矢印Ｇに対応する紫外線は、壁面５での反射によって、スリット６に対する角度を小さくしながら、スリット６の出口から出る。この結果、矢印Ｇに対応する紫外線は、スリット６の入り口に入った時よりも、より直進性を持った状態となってスリット６から照射される。
【００９７】
このようなプロセスを経て、絞り部材４は、光源３から照射される紫外線の直進性を高める。
【００９８】
絞り部材４は、このように光源３からの紫外線を導入して、その直進性を高めながら通過させ、直進性の高い直進性紫外線９を照射する。この直進性を高めるために、絞り部材４は、複数のスリット６を備える。
【００９９】
絞り部材４は、所定間隔で並ぶ複数の板部材を有する。この複数の板部材が並んでいることで、板部材同士の間隔がスリット６を形成する。すなわち、上下方向に板部材が間隔を空けて重なることで、それぞれの間隔が、光源３から正面方向へのスリット６を形成できる。
【０１００】
このように、絞り部材４は、複数の板部材の積層によってスリット６を形成できる。
【０１０１】
あるいは、絞り部材４は、箱状の部材に所定間隔で並ぶ貫通孔が形成された構造を有していてもよい。箱状部材の一方から他方に貫通する貫通孔が形成されると、この貫通孔が並ぶことになる。この並びによって、複数の貫通孔が複数のスリット６を形成できる。貫通孔の断面形状が方形であれば、方形のスリット６が形成される。光源３の形状に合わせた貫通孔が形成されることで、光源３から照射される紫外線がこの貫通孔をスリット６として照射角度を狭める。この結果、絞り部材４から照射される紫外線が、直進性をもった紫外線となる。
【０１０２】
このように、絞り部材４は、貫通孔を形成することで、スリット６を備える構造を有してもよい。
【０１０３】
（光源と絞り部材との関係）
絞り部材４により、直進性をもった直進紫外線９が照射される。光源３から正面方向（絞り部材４の方向）に照射された紫外線は、スリット６のそれぞれを通過する。スリット６に入る際には、直進状態ではない紫外線も、スリット６に入る際にスリット６に入り込むことのできる紫外線のみが、スリット６の入り口（光源３側）から入る。更に、スリット６内部で反射する紫外線の内、直進性への対応が悪い紫外線は、スリット６を形成する板部材５の吸光処理によって吸収されて、直進性の高い紫外線のみが、スリット６の出口から外に出る。
【０１０４】
このように、実施の形態１における室内殺菌装置１は、高い直進性に高い照射エネルギーでの紫外線を照射できる。また、室内殺菌装置１は、部屋１００の壁１０３の上方に設置されることもあり、室内殺菌装置１は、人体に照射する心配なく、部屋１００の上方において、壁１０３から対向する壁１０４に向けて、照射エネルギーを減衰させることなく、直進性の高い紫外線を照射できる。
【０１０５】
このような紫外線の照射が、部屋１００の上方において行われることに相まって、ファン１１によって部屋１００の上方に運搬された細菌等５０に、紫外線が照射される。この照射によって、細菌等５０が殺菌される。
【０１０６】
絞り部材４は、上述の通り複数のスリット６を備える。複数のスリット６は、光源３側の入り口６１と出口６２とを備える。図８は、本発明の実施の形態１における室内殺菌装置の側面図である。図８において、スリット６の入り口６１と出口６２とが示されている。
【０１０７】
光源３は、この入り口６１側に設置される。このとき、光源３と入り口６１とが近接することが好ましい。近接することで、スリット６の入り口６１に光源３からの紫外線がより確実に入るようになるからである。
【０１０８】
例えば、光源３と入り口６１とが接する程度に近接していてもよい。このように近接していることで、より多くの光量の紫外線がスリット６内部に入る。この結果、直進性をもつように制御されて出力する紫外線の光量が高くなる。光量が高くなれば、絞り部材４から照射される紫外線のエネルギーが大きくなる。当然に、照射される紫外線のエネルギーの減衰が少なくなる。
【０１０９】
（ファン）
ファン１１は、筐体２の一部に設けられる。ファン１１には、筐体２から外部に空気を送出する送出ファンと、外部から筐体２内部に空気を吸引する吸引ファンとがある。必要に応じて、送出ファン、吸引ファンのいずれか（あるいは両方）が、筐体２に取り付けられれば良い。
【０１１０】
（送出ファン）
ファン１１として送出ファンが取り付けられる。送出ファンは、外部に空気を送出する。図９は、本発明の実施の形態１における送出ファンが取り付けられた室内殺菌装置の側面図である。ここでは、送出ファン１１Ａが、筐体２の正面に設けられる。この筐体２の正面に取り付けられた送出ファン１１Ａは、筐体２から外部に対して空気を送出する。この送出によって、いくつかの作用が生じる。
【０１１１】
（作用１）
送出ファン１１Ａが、筺体２の正面から空気を送出すると、筐体２の設置されている部屋１００の上方の気圧が低下する。部屋１００の上方に次々と空気が送出されると、この上方において空気が移動して空気密度が下がる。この空気密度の低下によって、上方での気圧が低下する。
【０１１２】
上方の気圧が低下すると、部屋１００の下方の空気の気圧が、相対的に高くなる。この気圧差によって、部屋１００の下方の空気が上方に移動するようになる。移動する空気は、細菌等５０も一緒に運搬して、部屋１００の下方にある細菌等５０を部屋１００の上方に移動させる。上方に移動した細菌等５０は、室内殺菌装置１による紫外線の照射範囲に入るので、殺菌される。
【０１１３】
すなわち、筐体２の正面に設けられた送出ファン１１Ａは、部屋１００の上方の気圧を低下させて、部屋１００の下方にある細菌等５０を、気圧差での空気移動によって、紫外線照射範囲に移動させる。送出ファン１１Ａの空気の送出が継続すると、この部屋１００の下方から上方への空気移動も継続する。この継続により、部屋１００内の細菌等５０は、継続的に紫外線の照射範囲に到達できる。
【０１１４】
また、送出ファン１１Ａは、筐体２の正面から空気を送出することで、部屋１００内部に空気の対流を形成できる。この空気の対流は、送出ファン１１Ａによる空気の動きによって生じる場合と、上記のような気圧差によって生じる場合とが混在している。この空気の対流によって、やはり部屋１００の下方の空気が上方に移動し、この移動の際に、部屋１００の下方の細菌等５０を上方に運搬できる。すなわち、送出ファン１１Ａは、部屋１００内部に空気対流を形成して、細菌等５０を、部屋１００の上方に運搬させる。この運搬によって、細菌等５０を、紫外線の照射範囲に到達させて、殺菌できる。
【０１１５】
また、送出ファン１１Ａは、筐体２の下方に設けられたり、上方に設けられたりしてもよい。あるいは側面に設けられてもよい。これらの場所に設けられることで、やはり送出ファン１１Ａは、部屋１００において空気対流を生じさせることができる。空気対流によって、紫外線照射範囲である部屋１００の上方に、細菌等５０を運搬できる。
【０１１６】
送出ファン１１Ａは、部屋１００の構造や絞り部材４との位置関係、および気圧低下や対流形成などの作用効率などを考慮して、筐体２の種々の場所に取り付けられれば良い。また、複数の送出ファン１１Ａが、筐体２の種々の場所に取り付けられてもよい。
【０１１７】
例えば、筐体２の正面と底面のそれぞれに、送出ファン１１Ａが取り付けられる。この場合には、正面に取り付けられた送出ファン１１Ａは、部屋１００の上方の気圧を低下させて気圧差を生じさせることを、主として行う。底面に取り付けられた送出ファン１１Ａは、部屋１００内部に対流を生じさせることを主として行う。これら２つの作用が相まって、部屋１００の上方に、次々と細菌等５０が運搬される。結果として、部屋１００内部の細菌等５０が、次々と継続的に紫外線照射で殺菌される。
【０１１８】
（吸引ファン）
図１０は、本発明の実施の形態１における室内殺菌装置の側面図である。図１０の室内殺菌装置１は、吸引ファン１１Ｂを備えている。吸引ファン１１Ｂは、送出ファン１１Ａと異なり、外部の空気を筐体２内部に吸引する。図１０では、筐体２の正面と底面のそれぞれに、吸引ファン１１Ｂが取り付けられている状態を示している。もちろん、図１０のように、筐体２の正面と底面のそれぞれに吸引ファン１１Ｂが取り付けられてもよいし、正面のみに取り付けられてもよいし、底面のみに取り付けられてもよい。あるいは、側面や上面に、吸引ファン１１Ｂが取り付けられてもよい。
【０１１９】
吸引ファン１１Ｂは、その生じさせたい作用や、絞り部材４の位置、あるいは、部屋１００の構造などによって、取り付け位置が定められればよい。
【０１２０】
筐体２の正面に吸引ファン１１Ｂが取り付けられる場合には、図１０の矢印Ｙのように、外部から筐体２内部に空気を吸引する。この吸引によって、部屋１００の下方にある空気を上方に引き寄せる。この引き寄せによって、部屋１００の下方にある細菌等５０を、部屋１００の上方に移動させることができる。この移動によって、部屋１００の下方にあった細菌等５０を部屋１００の上方であって紫外線の照射範囲に引き寄せることができる。結果として、部屋１００において紫外線の照射範囲に無かった細菌等５０を、紫外線の照射範囲に引き寄せて殺菌できる。
【０１２１】
また、吸引ファン１１Ｂが、筐体２の底面に設けられる場合には、図１０の矢印Ｚのように、部屋１００内部の空気を引き寄せる。この引き寄せにより、部屋１００内部に空気対流を生じさせることができる。この空気対流によって、部屋１００の下方の細菌等５０を紫外線の照射範囲に引き寄せることができる。この引き寄せで、紫外線を照射して細菌等５０を殺菌できる。
【０１２２】
また、送出ファン１１Ａ、吸引ファン１１Ｂのそれぞれが、筐体２に取り付けられてもよい。  
【０１２３】
例えば、筐体２の底面に送出ファン１１Ａが取り付けられ、筐体２の正面に吸引ファン１１Ｂが取り付けられる。この場合には、底面の送出ファン１１Ａが、部屋１００の上方から下方に向けて空気を送り出して流れを作る。併せて、正面の吸引ファン１１Ｂが、部屋１００の上方で吸引する空気の流れを作る。これらの空気の流れが相まって、部屋１００内部で、筐体２から下方に向かって、筐体２の対向する側で上昇する空気の巡回が生じる。
【０１２４】
この空気の巡回が、空気対流となって、部屋１００の下方の細菌等５０を、部屋１００の上方に移動させることができる。
【０１２５】
筐体２の正面が送出ファン１１Ａであり、筐体２の底面が吸引ファン１１Ｂである場合には、逆方向の空気対流が生じるので、この場合も、部屋１００の下方にある細菌等５０が上方に移動させられる。
【０１２６】
これらの結果、細菌等５０が、紫外線の照射範囲に到達して、細菌等５０が確実に殺菌される。
【０１２７】
なお、これらの空気の移動による細菌等５０の移動は、ファン１１の動作が継続している限り継続できる。この結果、部屋１００の上方で照射される紫外線のみで、部屋１００内部の多くの細菌等５０を殺菌できる。
【０１２８】
以上のように、実施の形態１における室内殺菌装置１は、ファン１１の働きにより、人体に影響を与えない部屋１００の上方での紫外線照射のみで、部屋１００全体の細菌等５０を殺菌できる。
【０１２９】
（実施の形態２）
【０１３０】
次に、実施の形態２について説明する。
【０１３１】
（スリットの間隔による工夫）
図１１は、本発明の実施の形態２における室内殺菌装置の側面図である。図１１の室内殺菌装置１では、複数のスリット６において、下方のスリット６の間隔は、上方のスリット６の間隔よりも広い。実施の形態１で説明したように、室内殺菌装置１は、ファン１１などを用いて、部屋１００の空気を下方から上方に移動させる。この移動によって、下方にある細菌等５０が、上方に移動する。
【０１３２】
このとき、室内殺菌装置１は、部屋１００の上方に設置されているので、細菌等５０を殺傷する直進紫外線９は、上方において照射される。一方で、部屋１００の下方から上方に向かって移動する細菌等５０は、対流等の状況によっては、天井に近い高い位置まで、移動しにくいこともある。この場合には、筐体２の下方に細菌等５０が集中する。
【０１３３】
下方のスリット６の間隔が上方のスリット６の間隔より広いことで、筐体２の下方の方が、照射される紫外線の強度が高まりやすい。この筐体２の下方には、細菌等５０がより運搬されるので、この場所での紫外線強度が高いことで、より多く集まる細菌等５０を殺傷できる。
【０１３４】
（反射板）
図１２は、本発明の実施の形態２における室内殺菌装置が設置された室内の模式図である。部屋１００の内部が分かるように示されている。図１２では、室内殺菌装置１の設置されている壁１０３の対向する壁１０４に反射板１２が備わっている。反射板１２は、筐体２の対向する位置に取り付けられている。
【０１３５】
反射板１２は、照射される直進紫外線９を反射できる。このため、部屋１００の上方においては、筐体２から壁１０４に向けて照射される直進紫外線９と、反射板１２で反射されて壁１０３に向かう直進紫外線とが混在する。この混在によって、部屋１００の上方における紫外線強度が更に高まる。
【０１３６】
この強度の高まりによって、部屋１００の上方における紫外線による細菌等５０の殺傷能力が更に高まる。この高まりと、ファン１１などによる部屋１００における空気の移動（細菌等５０の移動）とが相まって、部屋１００の上方で、より確実に細菌等５０を殺傷できる。
【０１３７】
（実施の形態３）
【０１３８】
次に、実施の形態３について説明する。実施の形態３では、複数の室内殺菌装置１が組み合わされる室内殺菌システムについて説明する。
【０１３９】
図１３は、本発明の実施の形態３における室内殺菌システムの模式図である。図１３では、部屋１００に複数の室内殺菌装置１が設置されている。ここでは、部屋１００の一方の壁面１０３に室内殺菌装置１が設置され、他方の壁面１０４に室内殺菌装置１が設置されている。
【０１４０】
このように、室内殺菌システムは、複数の室内殺菌装置１が組み合わされることで構成される。複数の室内殺菌装置１が組み合わされることで、一方の壁面からの照射では不足する紫外線の照射を補いあうことができる。例えば、一方の壁面から対向する壁面への直進性が不足する場合でも、双方の壁面から紫外線を照射できることで、紫外線の照射が不足する領域を生じさせにくい。
【０１４１】
あるいは、図１３のように、壁面１０３に設置される室内殺菌装置１と、壁面１０４に設置される室内殺菌装置１とが、異なる高さに設置されることもよい。この場合には、高さの違いにより、それぞれ照射する紫外線の範囲を積層できる。この積層によって、紫外線の照射範囲を広く実現することができる。
【０１４２】
また、室内殺菌装置１のそれぞれに設けられるファン１１も組み合わされる。このファン１１の組み合わせによって、部屋１００内部の対流を適切に出現させることができる。この出現によって、室内の空気を循環させて、細菌等５０を部屋１００の下方から上方に移動させることができる。この移動が効率よく行われることで、部屋１００内部の細菌等５０を継続的に殺傷できる。
【０１４３】
例えば、壁面１０３に設置される室内殺菌装置１は、送出ファンを備え、壁面１０４に設置される室内殺菌装置１は、吸引ファンを備えることで、部屋１００内部の対流を効率的に生じさせることができる。
【０１４４】
このように、複数の室内殺菌装置１が組み合わさることで、室内殺菌システムは、部屋１００内部の細菌等５０の殺菌を効率的に行える。結果として、部屋１００内部は、継続的に衛生状態が保たれる。
【０１４５】
なお、実施の形態１〜３で説明された室内殺菌装置１または室内殺菌システムは、本発明の趣旨を説明する一例であり、本発明の趣旨を逸脱しない範囲での変形や改造を含む。
【符号の説明】
【０１４６】
１    室内殺菌装置
２    筐体
３    光源
４    絞り部材
５    壁面
６    スリット
７    反射板
８    制御部
１１    ファン
１２    反射板
１００    部屋
【図１】
2018065000.tif 000003
【図２】
2018065000.tif 000004
【図３】
2018065000.tif 000005
【図４】
2018065000.tif 000006
【図５】
2018065000.tif 000007
【図６】
2018065000.tif 000008
【図７】
2018065000.tif 000009
【図８】
2018065000.tif 000010
【図９】
2018065000.tif 000011
【図１０】
2018065000.tif 000012
【図１１】
2018065000.tif 000013
【図１２】
2018065000.tif 000014
【図１３】
2018065000.tif 000015